(57)【要約】【課題】少ない部品数でバッテリを旋回体上に配置できると共に、引き出し操作を要することなくバッテリの液面確認作業と着脱作業を実現できる建設機械の提供。【解決手段】旋回体２の右カバー４の内側にバッテリ９を配置すると共に、バッテリ９を旋回体２上に配置される燃料タンク８の上に備えた。このバッテリ９は、バッテリ９が収納される収納部１１ａと、旋回体２のメインフレーム２ａに固定される脚部１１ｂとを有するバッテリ支持ブラケット１１によって支持されている。このバッテリ支持ブラケット１１は、燃料タンク８の動きを規制する部材を兼ねている。【選択図】図３
2005247147.tif 000002
【特許請求の範囲】
【請求項１】
旋回体のカバー部材の内側にバッテリを備えた建設機械において、上記バッテリを上記旋回体上に配置される燃料タンクの上に備えたことを特徴とする建設機械。
【請求項２】
上記請求項１記載の発明において、
上記バッテリを支持するバッテリ支持ブラケットを備え、このバッテリ支持ブラケットが上記燃料タンクの動きを規制する部材を兼ねることを特徴とする建設機械。
【請求項３】
上記請求項２記載の発明において、
上記バッテリ支持ブラケットが、上記バッテリを収納する収納部と、この収納部を支持すると共に、上記旋回体のメインフレームに立設され、上記燃料タンクの動きを規制する脚部とを有することを特徴とする建設機械。
【発明の詳細な説明】
【技術分野】
【０００１】
本発明は、旋回体のカバー部材の内側にバッテリを備えた油圧ショベル等の建設機械に関する。
【背景技術】
【０００２】
この種の従来技術として特許文献１に示されるものがある。この従来技術は、旋回体のカバー部材である開閉扉の内側に、バッテリを備えると共に、このバッテリを外方に引き出す引き出し機構を備えている。
【特許文献１】特開２０００−６４３４６公報
【発明の開示】
【発明が解決しようとする課題】
【０００３】
上述した従来技術は、開閉扉の内側に構造が複雑なバッテリの引き出し機構を備えていることから、部品数が多くなり、製作費が高くなる問題がある。また、バッテリの液面確認作業に際しては、開閉扉を開き、引き出し機構によってバッテリを外方へ引き出してからバッテリの液面を確認することから、この液面確認作業が煩雑になる問題もある。同様に、バッテリの着脱作業に際しても、開閉扉を開き、引き出し機構によってバッテリを外方へ引き出してからバッテリの着脱を行なうことから、この着脱作業も煩雑になる問題がある。
【０００４】
本発明は、上述した従来技術における実状からなされたもので、その目的は、少ない部品数でバッテリを旋回体上に配置できると共に、引き出し操作を要することなくバッテリの液面確認作業と着脱作業を実現できる建設機械を提供することにある。
【課題を解決するための手段】
【０００５】
上記目的を達成するために、本発明は、旋回体のカバー部材の内側にバッテリを備えた建設機械において、上記バッテリを上記旋回体上に配置される燃料タンクの上に備えたことを特徴としている。
【０００６】
このように構成した本発明は、燃料タンクの上にバッテリを配置するたけであるので構造が簡単である。したがって、少ない部品数でバッテリを旋回体上に配置できる。また、燃料タンクの上にバッテリが配置されるので、カバー部材を開くことにより、何らの引き出し操作を要することなくバッテリを目視でき、このバッテリの液面確認作業を実施できる。同様に、カバー部材を開くことにより、何らの引き出し操作を要することなくバッテリの着脱作業を実施できる。
【０００７】
また本発明は、上記発明において、上記バッテリを支持するバッテリ支持ブラケットを備え、このバッテリ支持ブラケットが上記燃料タンクの動きを規制する部材を兼ねることを特徴としている。
【０００８】
このように構成した本発明は、バッテリ支持ブラケットによって燃料タンクの動きを規制できるので、燃料タンクの動きを規制するための特別な部材を要することがなく、部材数を節減できる。
【０００９】
また本発明は、上記発明において、上記バッテリ支持ブラケットが、上記バッテリを収納する収納部と、この収納部を支持すると共に、上記旋回体のメインフレームに立設され、上記燃料タンクの動きを規制する脚部とを有することを特徴としている。
【発明の効果】
【００１０】
本発明は、バッテリを燃料タンクの上に備えたことから、構造が簡単で少ない部品数でバッテリを旋回体上に配置でき、製作費を安くすることができる。また、カバー部材を開くことにより、引き出し操作を要することなくバッテリの液面確認作業と着脱作業を実施でき、これらの液面確認作業、及び着脱作業が従来よりも容易である。
【発明を実施するための最良の形態】
【００１１】
以下，本発明に係る建設機械を実施するための最良の形態を図に基づいて説明する。
【００１２】
図１は本発明の建設機械の一実施形態である油圧ショベルの側面図である。この図１に示すように、本実施形態の油圧ショベルは、走行体１と、この走行体１上に配置される旋回体２とを備えている。この旋回体２上には運転室３が備えられ、この運転室３の右側位置には開閉可能なカバー部材、すなわち右カバー４が備えられている。この右カバー４の内部には、後述するように、バッテリ、燃料タンク等が収納されている。旋回体２の前方位置には、フロント作業機を構成するブーム５、アーム６、バケット７等が配置されている。
【００１３】
図２〜４は本実施形態の要部を示す図で、図２は本実施形態に備えられる右カバーを開いた状態を示す拡大側面図、図３は本実施形態に備えられる右カバーを除くと共に、燃料タンク付近の側方部分を除いた状態を示す拡大斜視図、図４は本実施形態に備えられる旋回体部分を示す拡大平面図である。
【００１４】
これらの図２〜４に示すように、旋回体２に備えられる上述の右カバー４の内側のメインフレーム２ａ上には、外側位置に燃料タンク８を配置してあり、この燃料タンク８の上にバッテリ９を配置してあり、燃料タンク８の奥側位置、すなわち中央側の位置に作動油タンク１０を配置してある。バッテリ９は、バッテリ支持ブラケット１１によって支持されている。
【００１５】
図５は本実施形態に備えられるバッテリ支持ブラケットを示す拡大斜視図である。この図５に示すように、バッテリ支持ブラケット１１は、バッテリ９が収納される収納部１１ａと、この収納部１１ａを支持すると共に、上述した燃料タンク８の動きを規制する脚部１１ｂとを有する。すなわち、このバッテリ支持ブラケット１１は、燃料タンク８の動きを規制する部材を兼ねている。
【００１６】
上述した燃料タンク８の外側部分には、例えば図３に示すように、バッテリ支持ブラケット１１の脚部１１ｂが挿入される縦溝部８ａを形成してある。バッテリ支持ブラケット１１は、燃料タンク８上に位置する収納部１１ａにバッテリ９が収納された状態で、脚部１１ｂが燃料タンク８の縦溝部８ａ内に挿入され、この状態において旋回体２のメインフレーム２ａ上に、ボルト等によって固定される。
【００１７】
このように構成した本実施形態によれば、燃料タンク８の上にバッテリ９を配置するだけであるので構造が簡単である。したがって、静止部材であるバッテリ支持ブラケット１１とボルト程度の少ない部品数でバッテリ９を旋回体２のメインフレーム２ａ上に配置でき、製作費を安くすることができる。
【００１８】
また、燃料タンク８の上にバッテリ９が配置されるので、図２に示すように右カバー４を開くことにより、何らの引き出し操作を要することなくバッテリ９の液面を目視でき、このバッテリ９の液面確認作業を実施できる。同様に、右カバー４を開くことにより、何らの引き出し操作を要することなくバッテリ９の着脱作業を実施できる。したがって、バッテリ９の液面確認作業、及び着脱作業が容易である。
【００１９】
さらに、バッテリ支持ブラケット１１によって燃料タンク８の動きを規制できるので、燃料タンク８の動きを規制するための特別な部材を要することがなく、部材数を節減できる。これによっても、製作費を安くすることができる。
【図面の簡単な説明】
【００２０】
【図１】本発明の建設機械の一実施形態である油圧ショベルの側面図である。
【図２】本実施形態に備えられる右カバーを開いた状態を示す拡大側面図である。
【図３】本実施形態に備えられる右カバーを除くと共に、燃料タンク付近の側方部分を除いた状態を示す拡大斜視図である。
【図４】本実施形態に備えられる旋回体部分を示す拡大平面図である。
【図５】本実施形態に備えられるバッテリ支持ブラケットを示す拡大斜視図である。
【符号の説明】
【００２１】
２    旋回体
２ａ  メインフレーム
４    右カバー（カバー部材）
８    燃料タンク
８ａ  縦溝部
９    バッテリ
１０  作動油タンク
１１  バッテリ支持ブラケット
１１ａ  収納部
１１ｂ  脚部
【図１】
2005247147.tif 000003
【図２】
2005247147.tif 000004
【図３】
2005247147.tif 000005
【図４】
2005247147.tif 000006
【図５】
2005247147.tif 000007